(57)【要約】【課題】  従来のコンテンツ再生装置は、コンテンツサーバから受信したコンテンツを部分的に再生する際に、再生に必要なデータの範囲を指定することができない。【解決手段】  単独または複数でコンテンツの一部として再生可能な部分コンテンツから構成されるコンテンツの配信において、コンテンツ再生装置は、少なくとも長さ情報を含む部分コンテンツ構成情報を利用して再生に必要な範囲を要求し、コンテンツサーバは要求された範囲のデータを所定の通信プロトコルに従って送信する。【選択図】図１
2006033030.tif 000002
【特許請求の範囲】
【請求項１】
複数の部分コンテンツから構成される画像および／または音声を含むAVコンテンツの任意の部分コンテンツを送信するコンテンツサーバであって、
任意の前記部分コンテンツは、単独または複数でコンテンツの一部として再生可能であり、
前記AVコンテンツに含まれている各部分コンテンツの長さ情報を少なくとも含む部分コンテンツ構成情報を生成する部分コンテンツ構成情報生成手段と、
コンテンツ受信装置から要求された要求範囲を特定する特定手段と、
前記コンテンツ構成情報と前記要求範囲のAVコンテンツデータを、所定の通信プロトコルに従って送信する送信手段とを有するコンテンツサーバ。
【請求項２】
前記AVコンテンツは、MPEGフォーマットまたはDVD-VRフォーマットの動画像であり、前記部分コンテンツは前記AVコンテンツを構成するGOPまたはVOBUである、請求項１記載のコンテンツサーバ。
【請求項３】
前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャの位置を特定する部分コンテンツ構成情報を生成することを特徴とする、請求項１に記載のコンテンツサーバ。
【請求項４】
前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャ及びPピクチャの位置を特定する部分コンテンツ構成情報を生成することを特徴とする、請求項１に記載のコンテンツサーバ。
【請求項５】
前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャ及びPピクチャ及びBピクチャの位置を特定する部分コンテンツ構成情報を生成することを特徴とする、請求項１に記載のコンテンツサーバ。
【請求項６】
前記部分コンテンツ構成情報生成手段が、前記AVコンテンツ含まれる音声データの位置を特定する部分コンテンツ構成情報を生成することを特徴とする、請求項１に記載のコンテンツサーバ。
【請求項７】
前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれる音声データの位置を特定する部分コンテンツ構成情報を生成することを特徴とする、請求項１に記載のコンテンツサーバ。
【請求項８】
前記通信プロトコルがHTTPであることを特徴とする、請求項１から７に記載のコンテンツサーバ。
【請求項９】
複数の部分コンテンツから構成される画像および／または音声を含むAVコンテンツの任意の部分コンテンツを受信し再生するコンテンツ再生装置であって、
任意の前記部分コンテンツは、単独または複数でコンテンツの一部として再生可能であり、
コンテンツサーバから送られてきたコンテンツを受信する受信手段と、前記受信手段が受信したコンテンツを再生する再生手段と、前記AVコンテンツに含まれている各部分コンテンツの長さ情報を少なくとも含む部分コンテンツ構成情報を利用して要求範囲を決定する決定手段と、その決定した範囲のコンテンツを要求する要求手段とを有するコンテンツ再生装置。
【請求項１０】
前記AVコンテンツは、MPEGフォーマットまたはDVD-VRフォーマットの動画像であり、前記部分コンテンツは前記AVコンテンツを構成するGOPまたはVOBUである、請求項９に記載のコンテンツ再生装置。
【請求項１１】
前記AVコンテンツは、MPEGフォーマットまたはDVD-VRフォーマットの動画像であり、前記決定手段が、前記AVコンテンツを構成するGOPまたはVOBUにそれぞれ含まれるIピクチャを要求することを特徴とする、請求項９に記載のコンテンツ再生装置。
【請求項１２】
前記AVコンテンツは、MPEGフォーマットまたはDVD-VRフォーマットの動画像であり、前記決定手段が、前記AVコンテンツを構成するGOPまたはVOBUにそれぞれ含まれるIピクチャ及びPピクチャを要求することを特徴とする、請求項９に記載のコンテンツ再生装置。
【請求項１３】
前記AVコンテンツは、MPEGフォーマットまたはDVD-VRフォーマットの動画像であり、前記決定手段が、前記AVコンテンツを構成するGOPまたはVOBUにそれぞれ含まれるIピクチャ及びPピクチャ及びBピクチャを要求することを特徴とする、請求項９に記載のコンテンツ再生装置。
【請求項１４】
前記決定手段が、前記AVコンテンツ含まれる音声データを要求することを特徴とする、請求項９に記載のコンテンツ再生装置。
【請求項１５】
前記AVコンテンツは、MPEGフォーマットまたはDVD-VRフォーマットの動画像であり、前記決定手段が、前記AVコンテンツを構成するGOPまたはVOBUにそれぞれ含まれる音声データを要求することを特徴とする、請求項９に記載のコンテンツ再生装置。
【請求項１６】
前記通信プロトコルがHTTPであることを特徴とする、請求項９から１５に記載のコンテンツ受信装置。
【発明の詳細な説明】
【技術分野】
【０００１】
本発明は、単独または複数でコンテンツの一部として再生可能な部分コンテンツから構成されるAVコンテンツを送信するコンテンツサーバ、及びコンテンツを受信し再生するコンテンツ再生装置に関するものである。
【背景技術】
【０００２】
コンテンツのストリーミング再生などで、コンテンツ再生装置が、ネットワークを介してコンテンツサーバに蓄積されているコンテンツを受信しようとする場合、一般にHTTP等の通信プロトコルを使ってコンテンツサーバにリクエストを送り、コンテンツデータを受信する。コンテンツ再生装置が受信したコンテンツは、コンテンツ再生手段によって再生される。
しかし、コンテンツ再生手段でのコンテンツの再生方法によっては、コンテンツサーバが保有するコンテンツのすべてが必要とされないことがある。
コンテンツの一部のデータを使用して特定の再生を行う場合、コンテンツサーバが再生に必要のないデータを送ることによりトラフィックは増大し、コンテンツサーバ、コンテンツ受信装置各々での処理負担も増加する。
【０００３】
そのため、通信プロトコルによっては、コンテンツを範囲指定して取得できるブロック転送をサポートしたものも存在する。
【０００４】
ブロック転送は、コンテンツ再生装置のバッファ容量に制限がある場合などを想定し、コンテンツサーバからコンテンツの一部を範囲指定して取得できるように規定されたものである。例えばHTTPであれば、HTTPリクエストにRangeヘッダを含ませることによりブロック転送が可能となる。（例えば、特許文献１、非特許文献１参照）
ブロック転送を利用すれば、コンテンツ再生装置が必要とする部分コンテンツを含むデータを送信することにより、ネットワーク上でのトラフィックを減少させることが可能となる。
【特許文献１】特開２００１−１０１０９１号公報
【非特許文献１】「Hyper Text Transfer Protocol - HTTP/1.1」, RFC2616
【発明の開示】
【発明が解決しようとする課題】
【０００５】
しかしながら、ブロック転送では蓄積されたメディア上の範囲指定をしてデータ転送を行うため、必ずしもコンテンツデータの単位と転送単位とが一致せず、実際転送されるデータには再生に不要なデータが含まれることがある。そのため伝送トラフィックの増大や受信側で受信データから必要な部分を取り出す抽出手段を必要とするなどの課題がある。
【０００６】
本発明は、上記課題を解決し、AVコンテンツの特定の再生行うためにコンテンツサーバからコンテンツを取得する際に、受信したい範囲を指定してデータ転送することができるコンテンツサーバ及びコンテンツ受信装置を提供することを目的とする。
【課題を解決するための手段】
【０００７】
上記の課題を解決するために、本願請求項１の発明は、複数の部分コンテンツから構成される画像および／または音声を含むAVコンテンツの任意の部分コンテンツを送信するコンテンツサーバであって、任意の前記部分コンテンツは、単独または複数でコンテンツの一部として再生可能であり、前記AVコンテンツに含まれている各部分コンテンツの長さ情報を少なくとも含む部分コンテンツ構成情報を生成する部分コンテンツ構成情報生成手段と、コンテンツ受信装置から要求された要求範囲を特定する特定手段と、前記コンテンツ構成情報と前記要求範囲のAVコンテンツデータを、所定の通信プロトコルに従って送信する送信手段とを有することを特徴とするコンテンツサーバである。
【０００８】
また、本願請求項２の発明は、前記AVコンテンツは、MPEGフォーマットまたはDVD-VRフォーマットの動画像であり、前記部分コンテンツは前記AVコンテンツを構成するGOPまたはVOBUであることを特徴とする請求項1記載のコンテンツサーバである。
【０００９】
また、本願請求項３の発明は、前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャの位置を特定する部分コンテンツ構成情報を生成することを特徴とする請求項1記載のコンテンツサーバである。
【００１０】
また、本願請求項４の発明は、前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャ及びPピクチャの位置を特定する部分コンテンツ構成情報を生成することを特徴とする請求項1記載のコンテンツサーバである。
【００１１】
また、本願請求項５の発明は、前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれるIピクチャ及びPピクチャ及びBピクチャの位置を特定する部分コンテンツ構成情報を生成することを特徴とする、請求項1記載のコンテンツサーバである。
【００１２】
また、本願請求項６の発明は、前記部分コンテンツ構成情報生成手段が、前記AVコンテンツ含まれる音声データの位置を特定する部分コンテンツ構成情報を生成することを特徴とする、請求項1記載のコンテンツサーバである。
【００１３】
また、本願請求項７の発明は、前記AVコンテンツは、MPEGフォーマットまたはDVD-VRフォーマットの動画像であり、前記部分コンテンツ構成情報生成手段が、前記AVコンテンツを構成するGOPまたはVOBUにそれぞれ含まれる音声データの位置を特定する部分コンテンツ構成情報を生成することを特徴とする、請求項1記載のコンテンツサーバである。
【００１４】
また、本願請求項８の発明は、前記通信プロトコルがHTTPであることを特徴とする、請求項1から請求項７記載のコンテンツサーバである。
【００１５】
また、本願請求項９の発明は、複数の部分コンテンツから構成される画像および／または音声を含むAVコンテンツの任意の部分コンテンツを受信し再生するコンテンツ再生装置であって、任意の前記部分コンテンツは、単独または複数でコンテンツの一部として再生可能であり、コンテンツサーバから送られてきたコンテンツを受信する受信手段と、前記受信手段が受信したコンテンツを再生する再生手段と、前記AVコンテンツに含まれている各部分コンテンツの長さ情報を少なくとも含む部分コンテンツ構成情報を利用して要求範囲を決定する決定手段と、その決定した範囲のコンテンツを要求する要求手段とを有することを特徴とするコンテンツ再生装置である。
【００１６】
また、本願請求項１0の発明は、前記AVコンテンツは、MPEGフォーマットまたはDVD-VRフォーマットの動画像であり、前記部分コンテンツは前記AVコンテンツを構成するGOPまたはVOBUである、請求項９記載のコンテンツ再生装置である。
【００１７】
また、本願請求項１１の発明は、  前記AVコンテンツは、MPEGフォーマットまたはDVD-VRフォーマットの動画像であり、前記決定手段が、前記AVコンテンツを構成するGOPまたはVOBUにそれぞれ含まれるIピクチャを要求することを特徴とする、請求項９記載のコンテンツ再生装置である。
【００１８】
また、本願請求項１２の発明は、前記AVコンテンツは、MPEGフォーマットまたはDVD-VRフォーマットの動画像であり、前記決定手段が、前記AVコンテンツを構成するGOPまたはVOBUにそれぞれ含まれるIピクチャ及びPピクチャを要求することを特徴とする、請求項９記載のコンテンツ再生装置である。
【００１９】
また、本願請求項１３の発明は、前記AVコンテンツは、MPEGフォーマットまたはDVD-VRフォーマットの動画像であり、前記決定手段が、前記AVコンテンツを構成するGOPまたはVOBUにそれぞれ含まれるIピクチャ及びPピクチャ及びBピクチャを要求することを特徴とする、請求項９記載のコンテンツ再生装置である。
【００２０】
また、本願請求項１４の発明は、前記決定手段が、前記AVコンテンツ含まれる音声データを要求することを特徴とする、請求項９記載のコンテンツ再生装置である。
【００２１】
また、本願請求項１５の発明は、前記AVコンテンツは、MPEGフォーマットまたはDVD-VRフォーマットの動画像であり、前記決定手段が、前記AVコンテンツを構成するGOPまたはVOBUにそれぞれ含まれる音声データを要求することを特徴とする、請求項９記載のコンテンツ再生装置である。
【００２２】
また、本願請求項１６の発明は、前記通信プロトコルがHTTPであることを特徴とする、請求項９から請求項１５記載のコンテンツ受信装置である。
【発明の効果】
【００２３】
本発明は、コンテンツサーバにあるコンテンツを部分的に再生する際に、再生に必要な範囲を指定して取得することができるコンテンツサーバ及びコンテンツ再生装置を提供することができる。
【発明を実施するための最良の形態】
【００２４】
以下に本発明の実施の形態を図面を参照して説明する。
【００２５】
（実施の形態１）
図１は、第一の実施の形態が適用されるコンテンツサーバ及びコンテンツ再生装置を用いたコンテンツ配信システムの構成図である。本実施例ではDVD-VRフォーマットで記録されたコンテンツを扱うシステムを例にして説明する。
【００２６】
図１において、１はコンテンツサーバ、２はコンテンツ再生装置、３はコンテンツサーバ１とコンテンツ再生装置２との間を結ぶネットワークである。
【００２７】
コンテンツサーバ１は、コンテンツを蓄積するコンテンツ蓄積手段１０１とコンテンツ蓄積手段１０１に蓄積されたコンテンツの構成情報を生成する部分コンテンツ構成情報生成手段１０５と、コンテンツ再生装置２からの要求を受信する受信手段１０３と、コンテンツ再生装置２から受信した要求範囲がコンテンツ蓄積手段１０１内のどの領域に対応するかを特定する要求範囲特定手段１０４と、部分コンテンツ構成情報生成手段１０５で生成された部分コンテンツ構成情報やコンテンツデータを送信する送信手段１０２から構成される。
【００２８】
コンテンツ再生装置２は、再生するコンテンツの要求範囲を決定する要求範囲決定手段２０４と、要求範囲決定手段２０４で決定した範囲でコンテンツサーバ１に要求を送信する送信手段２０３と、コンテンツサーバ１から伝送されたコンテンツや部分コンテンツ構成情報を受信する受信手段２０２と、受信したコンテンツを再生するコンテンツ再生手段２０１から構成される。
【００２９】
図２に本実施例で用いるコンテンツの一例を示す。図２において、３０１ａ・・・３０１ｂはVOBU、３０２ａ、３０２ｂはIピクチャ、３０３ａ、３０４ａ、３０６ａ、３０７ａ、３０９ａ、３１０ａ、３１２ａ、３１３ａ、３０３ｂ、３０４ｂ、３０６ｂ、３０７ｂ、３０９ｂ、３１０ｂ、３１２ｂ、３１３ｂはBピクチャ、３０５ａ、３０８ａ、３１１ａ、３０５ｂ、３０８ｂ、３１１ｂはPピクチャである。DVD-VRフォーマットで記録された動画像データは、部分コンテンツであるVOBUと呼ばれる単位で管理されている。VOBUは、ビデオパック、オーディオパック等のパック構造を持つデータで構成されており、１つもしくは複数のGOPを含む。すなわちVOBUは単独で静止画表示できるIピクチャと、圧縮されたデータのため単独では静止画として表示できないPピクチャ、Bピクチャから構成される。
【００３０】
図３に部分コンテンツ構成情報の例を示す。本実施の形態では、部分コンテンツ構成情報は各ピクチャ毎に、ＶＯＢＵ番号、ピクチャ番号、ピクチャの属性、コンテンツ先頭からのオフセット値の組み合わせで示される。
【００３１】
このようなコンテンツ配信システムを用いて、コンテンツサーバ１に格納されたコンテンツをネットワーク経由でコンテンツ再生装置２で早送り再生する場合について説明する。早送り再生は、コンテンツ中のIピクチャのみを離散的にアクセスし、間引き再生することで実現できる。
【００３２】
コンテンツ再生装置２はコンテンツの再生に先立ち、再生要求するコンテンツの構成情報をコンテンツサーバ１に要求する。部分コンテンツ構成情報は、図３に示すとおり、コンテンツの内部でどのように部分コンテンツが構成されているかを示すデータである。
【００３３】
コンテンツサーバ１は、コンテンツ再生装置２から要求されたコンテンツの部分コンテンツ構成情報取得の要求を受けると、部分コンテンツ構成情報生成手段１０４はコンテンツデータを解析し、部分コンテンツ構成情報を生成する。本実施例では部分コンテンツ構成情報には、図３に示すようにVOBU毎にVOBUを構成するI、B、Pピクチャのピクチャ番号やピクチャの属性、オフセット値など、コンテンツの構成情報が記録されている。コンテンツサーバ１は、部分コンテンツ構成情報生成手段１０５で生成した部分コンテンツ構成情報を、送信手段１０２を介して送信する。
コンテンツ再生装置２は、部分コンテンツ構成情報を取得すると、要求範囲決定手段２０４は部分コンテンツ構成情報のピクチャのデータ内容からIピクチャのピクチャ番号を抽出する。
【００３４】
図３の部分コンテンツ構成情報からＩピクチャのピクチャ番号は１−１、Ｎ−１、Ｍ−１等であることがわかる。次に早送り再生の速度に応じて、再生する間隔を決定し、要求するピクチャのピクチャ番号を決定する。比較的低速な早送りの場合、間引きする間隔も短く、要求するピクチャ番号は１−１、Ｎ−１、Ｍ−１・・・とする。高速な早送りの場合、要求するピクチャ番号は１−１、Ｍ−１・・・と間引く間隔を大きくする。
要求範囲決定手段２０４は次に要求するピクチャ番号に対応するピクチャデータの先頭位置とデータ量を決定し、コンテンツサーバ１に送信する。データ量は次のピクチャのオフセット値から、該当するピクチャのオフセット値を減じることによって計算する。
【００３５】
コンテンツサーバ１は、コンテンツ再生装置２からピクチャデータ取得の要求を受けると、要求範囲特定手段１０４は要求範囲であるピクチャデータの先頭位置とデータ量を送信手段１０２に渡す。送信手段１０２は、コンテンツ蓄積手段１０１に蓄積されているコンテンツのうち、要求範囲特定手段１０４で特定されたIピクチャのみのデータをコンテンツ再生装置２に送信する。
【００３６】
コンテンツ再生装置２のコンテンツ受信手段２０２は、コンテンツサーバ１から送られてきたデータを受信する。受信手段２０２が受信したデータはそのままコンテンツ再生手段２０１で静止画として再生することができる。
【００３７】
要求するピクチャ番号毎に、これらの動作を繰り返すことにより、Ｉピクチャのみを再生することが出来、コンテンツサーバ１に格納されたコンテンツをネットワーク３経由でコンテンツ再生装置２で早送り再生することができる。
【００３８】
以上、第一の実施例のコンテンツサーバ及びコンテンツ再生装置によれば、コンテンツサーバでコンテンツの部分コンテンツ構成情報を生成し、予めコンテンツ再生装置に送ることにより、コンテンツ再生装置が必要とするデータのみをコンテンツサーバに要求することが出来るため、AVデータのような大容量のデータを転送する際にも、伝送トラフィックを増大させることなく効率的に転送することが出来る。また、コンテンツ再生装置側で、受信データから所望のデータを抜き出すことが必要なく、安価に構成することが可能である。
【００３９】
また、間引きするＩピクチャの間隔を途中で変更することにより、再生中に早送り再生の速度を変更することができる。
【００４０】
なお、上記の実施の形態は早送り再生に限定しない。すなわち、Ｉピクチャを通常と逆方向に取得することにより巻き戻し再生も実現できる。
【００４１】
また、再生のために取得するピクチャはＩピクチャのほかに、Ｐピクチャ及びＢピクチャを含んでも構わない。
【００４２】
なお、上記の実施の形態で挙げたＡＶコンテンツは例であり、コンテンツの形式は問わないものとする。
【００４３】
（実施の形態２）
図４に、第二の実施の形態で用いるコンテンツの一例を示す。本実施例ではDVD-VRフォーマットで記録されたコンテンツを扱うシステムを例にして説明する。なお、コンテンツ配信システムの構成図は図１に示すものを用いる。
【００４４】
図４において、４０１ａ・・・４０１ｂはＶＯＢＵ、４０２ａ、４０２ｂはナビゲーションパック、４０３ａ、４０５ａ、４０６ａ、４０８ａ、４０９ａ、４０４ｂ、４０５ｂ、４０６ｂ、４０７ｂ、４０９ｂはビデオパック、４０４ａ、４０７ａ、４０３ｂ、４０８ｂはオーディオパックである。
【００４５】
図５に部分コンテンツ構成情報の例を示す。本実施の形態では、部分コンテンツ構成情報は各パック毎に、ＶＯＢＵ番号、パック番号、パックの属性、コンテンツ先頭からのオフセット値の組み合わせで示される。
【００４６】
このようなコンテンツをコンテンツサーバ１に格納し、ネットワークを経由してコンテンツ再生装置２で音声データのみ再生する場合について説明する。音声データの再生は、コンテンツ中のオーディオパックのみにアクセスすることで実現できる。
【００４７】
コンテンツ再生装置２はコンテンツの再生に先立ち、再生要求するコンテンツの構成情報をコンテンツサーバ１に要求する。部分コンテンツ構成情報は、図３に示すとおり、コンテンツの内部でどのように部分コンテンツが構成されているかを示すデータである。
【００４８】
コンテンツサーバ１は、コンテンツ再生装置２から要求されたコンテンツの部分コンテンツ構成情報取得の要求を受けると、部分コンテンツ構成情報生成手段１０５はコンテンツデータを解析し、部分コンテンツ構成情報を生成する。本実施例では部分コンテンツ構成情報には、図５に示すようにVOBU毎にVOBUを構成するパック番号やパックの属性、オフセット値など、コンテンツの構成情報が記録されている。コンテンツサーバ１は、部分コンテンツ構成情報生成手段１０５で生成した部分コンテンツ構成情報を、送信手段１０２を介して送信する。
【００４９】
コンテンツ再生装置２は、部分コンテンツ構成情報を取得すると、要求範囲決定手段２０４は部分コンテンツ構成情報のパックのデータ内容からオーディオパックのパック番号を抽出する。
【００５０】
図５の部分コンテンツ構成情報から、オーディオパックのパック番号は１−3、１−Ｍ、Ｎ−２、Ｎ−Ｋ等であることがわかる。
要求範囲決定手段２０４は次に要求するパック番号に対応するパックデータの先頭位置とデータ量を決定し、コンテンツサーバ１に送信する。データ量は次のパックのオフセット値から、該当するパックのオフセット値を減じることによって計算する。
【００５１】
なお、要求するパックを間引きすることにより、音声データの早送り再生やスキップ再生など、特殊な再生方法も行うことができる。
【００５２】
コンテンツサーバ１は、コンテンツ再生装置２からピクチャデータ取得の要求を受けると、要求範囲特定手段１０４は要求範囲であるパックデータの先頭位置とデータ量を送信手段１０２に渡す。送信手段１０２は、コンテンツ蓄積手段１０１に蓄積されているコンテンツのうち、要求範囲特定手段１０４で特定されたオーディオパックのみのデータをコンテンツ再生装置２に送信する。
【００５３】
コンテンツ再生装置２の受信手段２０２は、コンテンツサーバ１から送られてきたデータを受信する。受信手段２０２が受信したデータはそのままコンテンツ再生手段２０１で静止画として再生することができる。
【００５４】
要求するパック番号毎に、これらの動作を繰り返すことにより、オーディオパックのみを再生することが出来、コンテンツサーバ１に格納されたコンテンツの音声データを、ネットワーク３を経由してコンテンツ再生装置２で再生することができる。
【００５５】
以上、第二の実施例のコンテンツサーバ及びコンテンツ再生装置によれば、コンテンツサーバでコンテンツの部分コンテンツ構成情報を生成し、予めコンテンツ再生装置に送ることにより、コンテンツ再生装置が必要とする音声データのみをコンテンツサーバに要求することが出来る。このため、再生に必要でない映像データ等をネットワーク上で転送する必要がなく、効率的に転送することが出来る。また、コンテンツ再生装置側では、受信データから所望のデータを抽出することなくコンテンツの再生を行うことができる。
【００５６】
また、上記の実施の形態で挙げたオーディオパックは例であり、その他のデータであっても構わない。ただし、指定して取得するデータは再生を行うために必要十分なデータを含むものとする。
【００５７】
なお、上記の実施の形態で挙げたＡＶコンテンツは例であり、コンテンツの形式は問わないものとする。
【産業上の利用可能性】
【００５８】
本発明に係るコンテンツサーバ及びコンテンツ再生装置は、コンテンツをコンテンツサーバから受信し再生する際に、再生に必要な範囲を部分的に指定できる効果を有し、単独または複数でコンテンツの一部として再生可能な部分コンテンツから構成されるコンテンツを部分的に再生するコンテンツ再生装置等で有用である。
【図面の簡単な説明】
【００５９】
【図１】本発明の実施の形態１におけるコンテンツサーバとコンテンツ受信装置の構成を示した図
【図２】本発明の実施の形態１におけるコンテンツの構成を示した図
【図３】本発明の実施の形態１における部分コンテンツ構成情報を示した図
【図４】本発明の実施の形態１におけるコンテンツの構成を示した図
【図５】本発明の実施の形態１における部分コンテンツ構成情報を示した図
【符号の説明】
【００６０】
１  コンテンツサーバ
１０１  コンテンツ蓄積手段
１０２  送信手段
１０３  受信手段
１０４  要求範囲特定手段
１０５  部分コンテンツ構成情報生成手段
２  コンテンツ再生装置
２０１  コンテンツ再生手段
２０２  受信手段
２０３  送信手段
２０４  要求範囲決定手段
３  ネットワーク  
【図１】
2006033030.tif 000003
【図２】
2006033030.tif 000004
【図３】
2006033030.tif 000005
【図４】
2006033030.tif 000006
【図５】
2006033030.tif 000007